(57)【特許請求の範囲】
【請求項１】
デバイスツーデバイスデータ送信方法であって、
端末により、通信に使用されるサブフレームのサブフレーム構造を決定するステップと、
前記端末により、前記サブフレームを使用することにより別の端末との通信を実現するステップと、
を含み、
前記別の端末との前記通信に使用される前記サブフレーム内の復調参照信号(DMRS)を送信することに使用される直交周波数分割多重(OFDM)シンボルの最小数量は、3であり、前記DMRSを送信することに使用される前記OFDMシンボルは、前記サブフレームの中の複数のインターバルに分散され、
前記別の端末との前記通信に使用される前記サブフレームの中の前記複数のインターバルの各々のインターバルにおいて、データを送信することに使用されるOFDMシンボルの最小数量は、1であり、かつ、データを送信することに使用されるOFDMシンボルの最大数量は、4であり、
前記複数のインターバルのうちの最初のインターバルは、前記別の端末との前記通信に使用される前記サブフレームの中の最初のDMRSを送信することに使用されるOFDMシンボルの位置の前に位置しており、かつ、前記複数のインターバルのうちの最後のインターバルは、前記別の端末との前記通信に使用される前記サブフレームの中の最後のDMRSを送信することに使用されるOFDMシンボルの位置の後に位置している、
方法。
【請求項２】
同じ数量のOFDMシンボルが、前記サブフレーム内のDMRSを送信することに使用される任意の2つの隣接したOFDMシンボル間で、データを送信することに使用される、請求項1に記載の方法。
【請求項３】
前記サブフレームは14のOFDMシンボルを含み、前記サブフレーム内のDMRSを送信することに使用される任意の2つの隣接したOFDMシンボル間でデータを送信することに使用されるOFDMシンボルの数量は、3又は4であり、あるいは、
前記サブフレームは12のOFDMシンボルを含み、前記サブフレーム内のDMRSを送信することに使用される任意の2つの隣接したOFDMシンボル間でデータを送信することに使用されるOFDMシンボルの数量は、2又は3である、
請求項2に記載の方法。
【請求項４】
前記サブフレームは14のOFDMシンボルを含み、前記サブフレーム内の前記DMRSを送信することに使用される前記OFDMシンボルは4番目のOFDMシンボル、7番目のOFDMシンボル、及び11番目のOFDMシンボルであり、あるいは、前記サブフレーム内の前記DMRSを送信することに使用される前記OFDMシンボルは、4番目のOFDMシンボル、8番目のOFDMシンボル、及び11番目のOFDMシンボルである、請求項1に記載の方法。
【請求項５】
前記端末は送信側であり、前記別の端末は受信側であり、
前記端末により、前記サブフレームを使用することにより別の端末との通信を実現する前記ステップは、
前記送信側により、データを搬送することに使用される前記サブフレームを取得するステップと、
前記送信側により、前記サブフレームを使用することにより前記データ及び前記DMRSを前記受信側に送信するステップであり、前記DMRSは、前記サブフレーム内の前記DMRSを使用することにより前記サブフレームを復調し、かつ前記サブフレーム内で搬送された前記データを取得するために、前記受信側により使用される、ステップと、
を含む、請求項1乃至4のうちいずれか1項に記載の方法。
【請求項６】
前記端末は受信側であり、前記別の端末は送信側であり、
前記端末により、前記サブフレームを使用することにより別の端末との通信を実現する前記ステップは、
前記受信側により、前記送信側により送信されかつデータを搬送する前記サブフレームを受信するステップと、
前記受信側により、前記サブフレーム内で搬送された前記データを取得するために、前記サブフレーム内の前記DMRSを使用することにより前記サブフレームを復調するステップと、
を含む、請求項1乃至4のうちいずれか1項に記載の方法。
【請求項７】
端末であって、
通信に使用されるサブフレームのサブフレーム構造を決定するように構成された決定モジュールと、
前記サブフレームを使用することにより別の端末との通信を実現するように構成された通信モジュールと、
を含み、
前記別の端末との前記通信に使用される前記サブフレーム内の復調参照信号(DMRS)を送信することに使用される直交周波数分割多重(OFDM)シンボルの最小数量は、3であり、前記DMRSを送信することに使用される前記OFDMシンボルは、前記サブフレームの中の複数のインターバルに分散され、
前記別の端末との前記通信に使用される前記サブフレームの中の前記複数のインターバルの各々のインターバルにおいて、データを送信することに使用されるOFDMシンボルの最小数量は、1であり、かつ、データを送信することに使用されるOFDMシンボルの最大数量は、4であり、
前記複数のインターバルのうちの最初のインターバルは、前記別の端末との前記通信に使用される前記サブフレームの中の最初のDMRSを送信することに使用されるOFDMシンボルの位置の前に位置しており、かつ、前記複数のインターバルのうちの最後のインターバルは、前記別の端末との前記通信に使用される前記サブフレームの中の最後のDMRSを送信することに使用されるOFDMシンボルの位置の後に位置している、
端末。
【請求項８】
同じ数量のOFDMシンボルが、前記サブフレーム内のDMRSを送信することに使用される任意の2つの隣接したOFDMシンボル間で、データを送信することに使用される、請求項7に記載の端末。
【請求項９】
前記サブフレームは14のOFDMシンボルを含み、前記サブフレーム内のDMRSを送信することに使用される任意の2つの隣接したOFDMシンボル間でデータを送信することに使用されるOFDMシンボルの数量は、3又は4であり、あるいは、
前記サブフレームは12のOFDMシンボルを含み、前記サブフレーム内のDMRSを送信することに使用される任意の2つの隣接したOFDMシンボル間でデータを送信することに使用されるOFDMシンボルの数量は、2又は3である、
請求項8に記載の端末。
【請求項１０】
前記サブフレームは14のOFDMシンボルを含み、前記サブフレーム内の前記DMRSを送信することに使用される前記OFDMシンボルは4番目のOFDMシンボル、7番目のOFDMシンボル、及び11番目のOFDMシンボルであり、あるいは、前記サブフレーム内の前記DMRSを送信することに使用される前記OFDMシンボルは、4番目のOFDMシンボル、8番目のOFDMシンボル、及び11番目のOFDMシンボルである、請求項7に記載の端末。
【請求項１１】
当該端末は送信側であり、前記別の端末は受信側であり、前記通信モジュールは、
データを搬送することに使用される前記サブフレームを取得するように構成された第1の取得ユニットと、
前記サブフレームを使用することにより前記データ及び前記DMRSを前記受信側に送信するように構成された送信ユニットであり、前記DMRSは、前記サブフレーム内の前記DMRSを使用することにより前記サブフレームを復調し、かつ前記サブフレーム内で搬送された前記データを取得するために、前記受信側により使用される、送信ユニットと、
を含む、請求項7乃至10のうちいずれか1項に記載の端末。
【請求項１２】
当該端末は受信側であり、前記別の端末は送信側であり、前記通信モジュールは、
前記送信側により送信されかつデータを搬送する前記サブフレームを受信するように構成された受信ユニットと、
前記サブフレーム内で搬送された前記データを取得するために、前記サブフレーム内の前記DMRSを使用することにより前記サブフレームを復調するように構成された第2の取得ユニットと、
を含む、請求項7乃至11のうちいずれか1項に記載の端末。
【請求項１３】
コンピュータにより実行されたときに請求項1乃至6のうちいずれか1項に記載の方法のステップを前記コンピュータに実行させる命令を含むコンピュータ読取可能記憶媒体。
【発明の詳細な説明】
【技術分野】
【０００１】
本発明の実施形態は通信技術に関し、詳細には端末対端末データ送信方法及びデバイスに関する。
【背景技術】
【０００２】
デバイスツーデバイス（Ｄｅｖｉｃｅ  ｔｏ  Ｄｅｖｉｃｅ、Ｄ２Ｄ）技術は、端末間の直接通信の技術である。Ｄ２Ｄ技術において、端末間の通信は、基地局により転送することなく実現できる。
【０００３】
図１は、Ｄ２Ｄ通信シナリオの概略図である。図１を参照すると、端末１０１と端末１０２との間で送信されるデータは、基地局１０３により転送することなくピアに到着することがあり、端末１０１と端末１０２との間でデータを送信することに占有されるリソースは、基地局１０３により構成され、スケジュールされ、協調されてもよい。しかしながら、Ｄ２Ｄ技術を適用する処理において、信号により占有されるスペクトルリソースが高周波数リソースであるか、又は信号を送信する端末が急速に移動する場合、信号が送信される無線チャネルのチャネル特性は急速に変化する。したがって、信号を受信する端末は、信号を送信する端末により送信されたデータを正確に取得することができず、Ｄ２Ｄ通信におけるデータ送信の信頼性が低い。
【発明の概要】
【０００４】
本発明の実施形態は、チャネルが急速に変化するときのＤ２Ｄ通信におけるデータ送信の信頼性を向上させるように、デバイスツーデバイスデータ送信方法及びデバイスを提供する。
【０００５】
第1の態様によれば、本発明の実施形態は端末対端末データ送信方法を提供し、当該方法は、
端末により、通信に使用されるサブフレームのフレーム構造を決定するステップと、
上記端末により、上記サブフレームを使用することにより別の端末との通信を実現するステップと、
を含み、
上記サブフレーム内の復調参照信号（De-Modulation  Reference  Signal、DMRS）を送信することに使用される直交周波数分割多重（Orthogonal  Frequency  Division  Multiplexing、OFDM）シンボルの最小数量が3であり、上記DMRSを送信することに使用される上記OFDMシンボルは、上記サブフレームの中の複数のインターバルに分散される。
【０００６】
第１の態様を参照し、第１の態様の第１の可能な実現において、上記サブフレーム内のＤＭＲＳを送信することに使用されるＯＦＤＭシンボルの最小数量が３であり、上記ＤＭＲＳを送信することに使用される上記ＯＦＤＭシンボルは上記サブフレーム内で間隔を置いて分散されることは、具体的に、
上記サブフレーム内のＤＭＲＳを送信することに使用される２つの隣接したＯＦＤＭシンボル間でデータを送信することに使用されるＯＦＤＭシンボルの最大数量が４であり、
上記サブフレーム内の最初のＤＭＲＳを送信することに使用されるＯＦＤＭシンボルの位置の前、ＯＦＤＭシンボルの最大数量が４であり、ＯＦＤＭシンボルの最小数量が１であり、
上記サブフレーム内の最後のＤＭＲＳを送信することに使用されるＯＦＤＭシンボルの位置の後、ＯＦＤＭシンボルの最大数量が４であり、ＯＦＤＭシンボルの最小数量が１である。
【０００７】
第１の態様又は第１の態様の第１の可能な実現を参照し、第１の態様の第２の可能な実現において、同じ数量のＯＦＤＭシンボルが、上記サブフレーム内のＤＭＲＳを送信することに使用される任意の２つの隣接したＯＦＤＭシンボル間で、データを送信することに使用される。
【０００８】
第１の態様の第２の可能な実現を参照し、第１の態様の第３の可能な実現において、上記サブフレームは１４のＯＦＤＭシンボルを含み、上記サブフレーム内のＤＭＲＳを送信することに使用される任意の２つの隣接したＯＦＤＭシンボル間でデータを送信することに使用されるＯＦＤＭシンボルの数量は、３又は４であり、あるいは、
上記サブフレームは１２のＯＦＤＭシンボルを含み、上記サブフレーム内のＤＭＲＳを送信することに使用される任意の２つの隣接したＯＦＤＭシンボル間でデータを送信することに使用されるＯＦＤＭシンボルの数量は、２又は３である。
【０００９】
第１の態様又は第１の態様の第１の可能な実現を参照し、第１の態様の第４の可能な実現において、上記サブフレームは１４のＯＦＤＭシンボルを含み、上記サブフレーム内の上記ＤＭＲＳを送信することに使用される上記ＯＦＤＭシンボルは４番目のＯＦＤＭシンボル、７番目のＯＦＤＭシンボル、及び１１番目のＯＦＤＭシンボルであり、あるいは、上記サブフレーム内の上記ＤＭＲＳを送信することに使用される上記ＯＦＤＭシンボルは、４番目のＯＦＤＭシンボル、８番目のＯＦＤＭシンボル、及び１１番目のＯＦＤＭシンボルである。
【００１０】
第１の態様のうちいずれか１つ、又は第１の態様の第１乃至第４の可能な実現を参照し、第１の態様の第５の可能な実現において、上記端末は送信側であり、上記別の端末は受信側であり、
上記端末により、上記サブフレームを使用することにより別の端末との通信を実現する上記ステップは、
上記送信側により、データを搬送することに使用される上記サブフレームを取得するステップと、
上記送信側により、上記サブフレームを使用することにより上記データ及び上記ＤＭＲＳを上記受信側に送信するステップであり、上記ＤＭＲＳは、上記サブフレーム内の上記ＤＭＲＳを使用することにより上記サブフレームを復調し、かつ上記サブフレーム内で搬送された上記データを取得するために、上記受信側により使用される、ステップと、
を含む。
【００１１】
第１の態様のうちいずれか１つ、又は第１の態様の第１乃至第４の可能な実現を参照し、第１の態様の第６の可能な実現において、上記端末は受信側であり、上記別の端末は送信側であり、
上記端末により、上記サブフレームを使用することにより別の端末との通信を実現する上記ステップは、
上記受信側により、上記送信側により送信されかつデータを搬送する上記サブフレームを受信するステップと、
上記受信側により、上記サブフレーム内で搬送された上記データを取得するために、上記サブフレーム内の上記ＤＭＲＳを使用することにより上記サブフレームを復調するステップと、
を含む。
【００１２】
第2の態様によれば、本発明の実施形態は端末を提供し、当該端末は、
通信に使用されるサブフレームのフレーム構造を決定するように構成された決定モジュールと、
上記サブフレームを使用することにより別の端末との通信を実現するように構成された通信モジュールと、
を含み、
上記サブフレーム内の復調参照信号DMRSを送信することに使用される直交周波数分割多重OFDMシンボルの最小数量が3であり、上記DMRSを送信することに使用される上記OFDMシンボルは、上記サブフレームの中の複数のインターバルに分散される。
【００１３】
第２の態様を参照し、第２の態様の第１の可能な実現において、上記サブフレーム内のＤＭＲＳを送信することに使用されるＯＦＤＭシンボルの最小数量が３であり、上記ＤＭＲＳを送信することに使用される上記ＯＦＤＭシンボルは上記サブフレーム内で間隔を置いて分散されることは、具体的に、
上記サブフレーム内のＤＭＲＳを送信することに使用される２つの隣接したＯＦＤＭシンボル間でデータを送信することに使用されるＯＦＤＭシンボルの最大数量が４であり、
上記サブフレーム内の最初のＤＭＲＳを送信することに使用されるＯＦＤＭシンボルの位置の前、ＯＦＤＭシンボルの最大数量が４であり、ＯＦＤＭシンボルの最小数量が１であり、
上記サブフレーム内の最後のＤＭＲＳを送信することに使用されるＯＦＤＭシンボルの位置の後、ＯＦＤＭシンボルの最大数量が４であり、ＯＦＤＭシンボルの最小数量が１である。
【００１４】
第２の態様又は第２の態様の第１の可能な実現を参照し、第２の態様の第２の可能な実現において、同じ数量のＯＦＤＭシンボルが、上記サブフレーム内のＤＭＲＳを送信することに使用される任意の２つの隣接したＯＦＤＭシンボル間で、データを送信することに使用される。
【００１５】
第２の態様の第２の可能な実現を参照し、第２の態様の第３の可能な実現において、上記サブフレームは１４のＯＦＤＭシンボルを含み、上記サブフレーム内のＤＭＲＳを送信することに使用される任意の２つの隣接したＯＦＤＭシンボル間でデータを送信することに使用されるＯＦＤＭシンボルの数量は、３又は４であり、あるいは、
上記サブフレームは１２のＯＦＤＭシンボルを含み、上記サブフレーム内のＤＭＲＳを送信することに使用される任意の２つの隣接したＯＦＤＭシンボル間でデータを送信することに使用されるＯＦＤＭシンボルの数量は、２又は３である。
【００１６】
第２の態様又は第２の態様の第１の可能な実現を参照し、第２の態様の第４の可能な実現において、上記サブフレームは１４のＯＦＤＭシンボルを含み、上記サブフレーム内の上記ＤＭＲＳを送信することに使用される上記ＯＦＤＭシンボルは４番目のＯＦＤＭシンボル、７番目のＯＦＤＭシンボル、及び１１番目のＯＦＤＭシンボルであり、あるいは、上記サブフレーム内の上記ＤＭＲＳを送信することに使用される上記ＯＦＤＭシンボルは、４番目のＯＦＤＭシンボル、８番目のＯＦＤＭシンボル、及び１１番目のＯＦＤＭシンボルである。
【００１７】
第２の態様のうちいずれか１つ、又は第２の態様の第１乃至第４の可能な実現を参照し、第２の態様の第５の可能な実現において、当該端末は送信側であり、上記別の端末は受信側であり、上記通信モジュールは、
データを搬送することに使用される上記サブフレームを取得するように構成された第１の取得ユニットと、
上記サブフレームを使用することにより上記データ及び上記ＤＭＲＳを上記受信側に送信するように構成された送信ユニットであり、上記ＤＭＲＳは、上記サブフレーム内の上記ＤＭＲＳを使用することにより上記サブフレームを復調し、かつ上記サブフレーム内で搬送された上記データを取得するために、上記受信側により使用される、送信ユニットと、
を含む。
【００１８】
第２の態様のうちいずれか１つ、又は第２の態様の第１乃至第４の可能な実現を参照し、第２の態様の第６の可能な実現において、当該端末は受信側であり、上記別の端末は送信側であり、上記通信モジュールは、
上記送信側により送信されかつデータを搬送する上記サブフレームを受信するように構成された受信ユニットと、
上記サブフレーム内で搬送された上記データを取得するために、上記サブフレーム内の上記ＤＭＲＳを使用することにより上記サブフレームを復調するように構成された第２の取得ユニットと、
を含む。
【００１９】
本発明の実施形態におけるデバイスツーデバイスデータ送信方法及びデバイスによれば、端末が、データを送信することに使用されるサブフレームを取得し、端末は、サブフレームを使用することによりデータを送信し、サブフレーム内の復調参照信号ＤＭＲＳを送信することに使用される直交周波数分割多重ＯＦＤＭシンボルの最小数量が３であり、ＯＦＤＭシンボルはサブフレーム内で間隔を置いて分散される。このことは、サブフレーム内のＤＭＲＳを送信することに使用されるＯＦＤＭシンボルの密度を増加させる。したがって、チャネルが急速に変化するとき、受信側が、少なくとも３つのＤＭＲＳに従って正確にサブフレーム内のデータを復調して、送信側により送信されたデータを正確に取得し、Ｄ２Ｄ通信におけるデータ送信の信頼性をさらに向上させることができる。
【図面の簡単な説明】
【００２０】
本発明の実施形態又は従来技術における技術的解決策をより明確に説明するために、以下に、実施形態又は従来技術を説明するために必要な添付図面を簡単に説明する。明らかに、以下の説明における添付図面は、本発明の単にいくつかの実施形態を示しているに過ぎず、当業者は、創造的取り組みなしにこれらの添付図面から他の図面をさらに導き得る。
【図１】Ｄ２Ｄ通信シナリオの概略図である。
【図２】本発明の一実施形態によるデバイスツーデバイスデータ送信方法のフローチャートである。
【図３】本発明の一実施形態による標準ＣＰを有するサブフレームの概略構造図１である。
【図４ａ】本発明の一実施形態による標準ＣＰを有するサブフレームの概略構造図２である。
【図４ｂ】本発明の一実施形態による標準ＣＰを有するサブフレームの概略構造図３である。
【図５】本発明の一実施形態による拡張ＣＰを有するサブフレームの概略構造図１である。
【図６ａ】本発明の一実施形態による標準ＣＰを有するサブフレームの概略構造図４である。
【図６ｂ】本発明の一実施形態による標準ＣＰを有するサブフレームの概略構造図５である。
【図６ｃ】本発明の一実施形態による標準ＣＰを有するサブフレームの概略構造図６である。
【図６ｄ】本発明の一実施形態による標準ＣＰを有するサブフレームの概略構造図７である。
【図７ａ】本発明の一実施形態による標準ＣＰを有するサブフレームの概略構造図８である。
【図７ｂ】本発明の一実施形態による標準ＣＰを有するサブフレームの概略構造図９である。
【図８ａ】本発明の一実施形態による拡張ＣＰを有するサブフレームの概略構造図２である。
【図８ｂ】本発明の一実施形態による拡張ＣＰを有するサブフレームの概略構造図３である。
【図９ａ】本発明の一実施形態による拡張ＣＰを有するサブフレームの概略構造図４である。
【図９ｂ】本発明の一実施形態による拡張ＣＰを有するサブフレームの概略構造図５である。
【図１０】本発明の一実施形態による端末の概略構造図１である。
【図１１】本発明の一実施形態による端末の概略構造図２である。
【図１２】本発明の一実施形態による端末の概略構造図３である。
【図１３】本発明の一実施形態による端末の概略構造図４である。
【発明を実施するための形態】
【００２１】
以下に、本発明の実施形態における技術的解決策を本発明の実施形態における添付図面を参照して明確かつ完全に説明する。明らかに、説明される実施形態は、本発明の実施形態のすべてでなく単にいくつかである。創造的取り組みなしに本発明の実施形態に基づき当業者により得られるすべての他の実施形態は、本発明の保護範囲内に入るものとする。
【００２２】
図２は、本発明の一実施形態によるデバイスツーデバイスデータ送信方法のフローチャートである。図２を参照すると、この実施形態におけるデバイスツーデバイスデータ送信方法は以下のステップを含む。
【００２３】
Ｓ２０１．端末が、通信に使用されるサブフレームのフレーム構造を決定する。
【００２４】
Ｓ２０２．端末が、サブフレームを使用することにより別の端末と通信する。
【００２５】
サブフレーム内のDMRSを送信することに使用されるOFDMシンボルの最小数量は、3であり、DMRSを送信することに使用されるOFDMシンボルは、サブフレームの中の複数のインターバルに(at  intervals)分散される。
【００２６】
この実施形態において、端末は、送信側であってもよく、あるいは受信側であってもよい。端末が別の端末と通信する前、端末と別の端末とは、通信に使用されるサブフレームの構造を決定しており、端末は、上記サブフレームを使用することにより別の端末と通信する。任意選択で、端末は、プロトコル又は予め設定された通信規格に従い、通信に使用されるサブフレームのフレーム構造を決定してもよい。もちろん、端末は、別の仕方で、通信に使用されるサブフレームのフレーム構造をさらに決定してもよい。このことは、本発明において限定されない。
【００２７】
以下に、端末が送信側又は受信側であるときのＳ２０２の特定の処理を詳細に説明する。
【００２８】
端末が送信側であり、別の端末が受信側であるとき、送信側は、データを搬送することに使用されるサブフレームを取得する。送信側は、上記サブフレームを使用することによりデータ及びＤＭＲＳを受信側に送信し、これにより、受信側は、サブフレーム内のＤＭＲＳを使用することによりサブフレームを復調し、サブフレーム内で搬送されたデータを取得する。
【００２９】
データを受信側に送信する前、送信側は、データを送信することに使用されるリソースを取得する必要がある。任意選択で、送信側は、以下の可能な実現において、データを送信することに使用されるリソースを取得してもよい。
【００３０】
可能な一実現において、送信側は、リソースを要求することに使用されるステータス情報を基地局に送信し、基地局は、送信側のステータス情報に従って送信側に対して、データを送信することに使用されるリソースを割り当てる。
【００３１】
別の可能な実現では、基地局が、送信側に利用可能なリソースプールをブロードキャストし、送信側は、競争すること（contending）により、データを送信することに使用されるリソースを取得する。
【００３２】
端末が受信側であり、別の端末が送信側であるとき、受信側は、送信側により送信され、かつデータを搬送することに使用されたサブフレームを、受信する。受信側は、サブフレーム内のＤＭＲＳを使用することによりサブフレームを復調し、サブフレーム内で搬送されたデータを取得する。
【００３３】
前述の実施形態では、通信に使用されるサブフレームにおいて、サブフレーム内のＤＭＲＳを送信することに使用されるＯＦＤＭシンボルの最小数量は３であり、ＯＦＤＭシンボルはサブフレーム内で間隔を置いて分散される。例えば、拡張されたＣＰを有するサブフレーム内の１４個のＯＦＤＭシンボルにおいて、ＤＭＲＳを送信することに使用されるＯＦＤＭシンボルの数量は、３、又は４、又は５、又は６などであり、データを送信することに使用されるＯＦＤＭシンボルは、ＤＭＲＳを送信することに使用されるＯＦＤＭシンボルの間に位置する。このことは、ＤＭＲＳを送信することに使用されるＯＦＤＭシンボルの密度を増加させ、ＤＭＲＳを送信することに使用されるＯＦＤＭシンボルとデータを送信することに使用されるＯＦＤＭシンボルとの間の距離を低減させる。チャネルが急速に変化するとき、送信サブフレーム内の近いＯＦＤＭシンボルのチャネル特性が同様であるため、受信側は、サブフレームを復調する処理において、送信側により送信されたデータを正確に取得することができる。
【００３４】
本発明のこの実施形態により提供されるデバイスツーデバイスデータ送信方法によれば、端末は、通信に使用されるサブフレームのフレーム構造を決定し、上記サブフレームを使用することにより別の端末と通信し、サブフレーム内のＤＭＲＳを送信することに使用されるＯＦＤＭシンボルの最小数量が３であり、ＤＭＲＳを送信することに使用されるＯＦＤＭシンボルはサブフレーム内で間隔を置いて分散される。このことは、サブフレーム内でＤＭＲＳを送信することに使用されるＯＦＤＭシンボルの密度を増加させる。したがって、チャネルが急速に変化するとき、受信側は、少なくとも３つのＤＭＲＳに従って正確にサブフレーム内のデータを復調して、送信側により送信されたデータを正確に取得し、Ｄ２Ｄ通信におけるデータ送信の信頼性をさらに向上させることができる。
【００３５】
好適な一実施形態において、サブフレーム内のDMRSを送信することに使用されるOFDMシンボルの数量は、3であり、DMRSを送信することに使用されるOFDMシンボルは、サブフレームの中の複数のインターバルに分散される。2つのOFDMシンボルがDMRSを送信することに使用される場合と比較して、3つのシンボルが各サブフレーム内でDMRSを送信することに使用される実施形態では、時間ドメインにおけるパイロット密度が増加され、これにより、データを送信することに使用されるOFDMシンボルは近くのパイロットにより近くなり、時間が経過したとき、パイロットシンボル及びデータシンボル上のチャネル変化がより少ない。したがって、チャネル推定がより正確である。4つ以上のOFDMシンボルがDMRSを送信することに使用される場合、チャネル推定精度はさらに向上できるが、対応して、データを送信することに使用されるOFDMシンボルが低減され、結果として、システムの送信効率が低減される。
【００３６】
図２に示される実施形態において、さらに、サブフレーム内のＤＭＲＳを送信することに使用されるＯＦＤＭシンボルの位置は、以下の条件をすべて満たす必要がある：サブフレーム内のＤＭＲＳを送信することに使用される２つの隣接したＯＦＤＭシンボル間でデータを送信することに使用されるＯＦＤＭシンボルの最大数量が４であること、サブフレーム内の最初のＤＭＲＳを送信することに使用されるＯＦＤＭシンボルの位置の前、ＯＦＤＭシンボルの最大数量が４であり、ＯＦＤＭシンボルの最小数量が１であること、及び、サブフレーム内の最後のＤＭＲＳを送信することに使用されるＯＦＤＭシンボルの位置の後、ＯＦＤＭシンボルの最大数量が４であり、ＯＦＤＭシンボルの最小数量が１であること。
【００３７】
例えば、図３は、本発明の一実施形態による標準ＣＰを有するサブフレームの概略構造図１である。図３を参照すると、サブフレーム内のＤＭＲＳを送信することに使用されるＯＦＤＭシンボルの数量は３である。最初のＯＦＤＭシンボル（図３に示される０）は自動ゲイン調整に使用され、２番目、４番目、６番目、７番目、８番目、９番目、１１番目、１２番目、及び１３番目のＯＦＤＭシンボルはデータを送信することに使用され、３番目、５番目、及び１０番目のシンボルはＤＭＲＳを送信することに使用され、１４番目のＯＦＤＭシンボル（図３に示される１３）はガードインターバルとして使用される。
【００３８】
サブフレームにおいて、３番目のＯＦＤＭシンボルと５番目のＯＦＤＭとの間でデータを送信することに使用されるＯＦＤＭシンボルの数量は１であり、５番目のＯＦＤＭシンボルと１０番目のＯＦＤＭとの間でデータを送信することに使用されるＯＦＤＭシンボルの数量は４であり、３番目のＯＦＤＭシンボル（最初のＤＭＲＳを送信することに使用されるＯＦＤＭシンボル）の位置の前、ＯＦＤＭシンボルの数量は２であり、１０番目のＯＦＤＭシンボル（最後のＤＭＲＳを送信することに使用されるＯＦＤＭシンボル）の位置の後、ＯＦＤＭシンボルの数量は４である。
【００３９】
本発明における当業者は、図３に示されるような標準ＣＰを有するサブフレームにおいて、サブフレーム内のＤＭＲＳを送信することに使用されるＯＦＤＭシンボルの最小数量が３であり、かつＯＦＤＭシンボルの位置が前述の条件をすべて満たす必要がある限り、３番目、６番目、及び１０番目のＯＦＤＭシンボルがＤＭＲＳを送信することにさらに使用されてもよいことを理解し得る。
【００４０】
Ｄ２Ｄ通信におけるデータ送信の信頼性が確保されるという条件で、サブフレーム内のデータを送信することに使用されるＯＦＤＭシンボルの比率を増加させるために、好ましくは、サブフレームは、ＤＭＲＳを送信することに使用される３つのＯＦＤＭシンボルを含む。さらに、サブフレーム内のＤＭＲＳを送信することに使用されるＯＦＤＭシンボルがサブフレーム内でより均等に分散されるために、以下に、サブフレーム内のＤＭＲＳを送信することに使用されるＯＦＤＭシンボルの位置を詳細に説明する。具体的に、サブフレーム内のＤＭＲＳを送信することに使用されるＯＦＤＭシンボルの位置は、以下の場合を含み得る。
【００４１】
１つの可能な場合では、標準ＣＰを有するサブフレームにおいて、ＤＭＲＳを送信することに使用されるＯＦＤＭシンボルは少なくとも４番目のＯＦＤＭシンボルと１１番目のＯＦＤＭシンボルとを含み、拡張ＣＰを有するサブフレームにおいて、ＤＭＲＳを送信することに使用されるＯＦＤＭシンボルは少なくとも３番目のＯＦＤＭシンボルと９番目のＯＦＤＭシンボルとを含む。以下に、この場合における標準ＣＰを有するサブフレーム及び拡張ＣＰを有するサブフレーム内のＤＭＲＳを送信することに使用されるＯＦＤＭシンボルの位置を詳細に説明する。
【００４２】
標準ＣＰを有するサブフレームについて：
【００４３】
図４ａ及び図４ｂは、本発明の一実施形態による標準ＣＰを有するサブフレームの概略構造図である。図４ａ及び図４ｂを参照すると、標準ＣＰを有するサブフレーム内のＤＭＲＳを送信することに使用されるＯＦＤＭシンボルは、少なくとも４番目のＯＦＤＭシンボルと１１番目のＯＦＤＭシンボルとを含む。
【００４４】
図４ａは、本発明の一実施形態による標準ＣＰを有するサブフレームの概略構造図２である。図４ａを参照すると、標準ＣＰを有するサブフレーム内のＤＭＲＳを送信することに使用されるＯＦＤＭシンボルは、４番目のＯＦＤＭシンボル、７番目のＯＦＤＭシンボル、及び１１番目のＯＦＤＭシンボルである。
【００４５】
図４ｂは、本発明の一実施形態による標準ＣＰを有するサブフレームの概略構造図３である。図４ｂを参照すると、標準ＣＰを有するサブフレーム内のＤＭＲＳを送信することに使用されるＯＦＤＭシンボルは、４番目のＯＦＤＭシンボル、８番目のＯＦＤＭシンボル、及び１１番目のＯＦＤＭシンボルである。
【００４６】
当業者は、図４ａ及び図４ｂに示されたサブフレーム内のＤＭＲＳを送信することに使用されるＯＦＤＭシンボルが４番目のＯＦＤＭシンボル及び１１番目のＯＦＤＭシンボルを含むことに基づき、サブフレーム内の６番目又は９番目のＯＦＤＭシンボルがＤＭＲＳを送信することにさらに使用されてもよいことを理解し得る。
【００４７】
拡張ＣＰを有するサブフレームについて：
【００４８】
図５は、本発明の一実施形態による拡張ＣＰを有するサブフレームの概略構造図１である。図５を参照すると、拡張ＣＰを有するサブフレームにおいて、ＤＭＲＳを送信することに使用されるＯＦＤＭシンボルは、少なくとも３番目のＯＦＤＭシンボルと９番目のＯＦＤＭシンボルとを含み、拡張ＣＰを有するサブフレームにおいて、ＤＭＲＳを送信することに使用されるＯＦＤＭシンボルは、３番目のＯＦＤＭシンボル、６番目のＯＦＤＭシンボル、及び９番目のＯＦＤＭシンボルである。
【００４９】
当業者は、図５に示されたサブフレーム内のＤＭＲＳを送信することに使用されるＯＦＤＭシンボルが３番目のＯＦＤＭシンボル及び９番目のＯＦＤＭシンボルを含むことに基づき、サブフレーム内の５番目又は７番目のＯＦＤＭシンボルがＤＭＲＳを送信することにさらに使用されてもよいことを理解し得る。
【００５０】
この場合、既存の不十分な性能の標準ＣＰを有するサブフレーム又は拡張ＣＰを有するサブフレームがわずかに修正された後、本発明のこの実施形態における良好な性能の標準ＣＰを有するサブフレーム又は拡張ＣＰを有するサブフレームが取得されてもよく、本発明のこの実施形態における標準ＣＰを有するサブフレーム又は拡張ＣＰを有するサブフレームの効率がさらに向上する。
【００５１】
別の可能な場合では、同じ数量のＯＦＤＭシンボルが、サブフレーム内のＤＭＲＳを送信することに使用される任意の２つの隣接したＯＦＤＭシンボル間で、データを送信することに使用される。以下に、この場合における標準ＣＰを有するサブフレーム及び拡張ＣＰを有するサブフレーム内のＤＭＲＳを送信することに使用されるＯＦＤＭシンボルの位置を詳細に別個に説明する。
【００５２】
標準ＣＰを有するサブフレームについて：
【００５３】
標準ＣＰを有するサブフレーム内のＤＭＲＳを送信することに使用される任意の２つの隣接したＯＦＤＭシンボル間でデータを送信することに使用されるＯＦＤＭシンボルの数量は、３又は４である。
【００５４】
図６ａ乃至図６ｄは、本発明の一実施形態による標準ＣＰを有するサブフレームの概略構造図である。図６ａ乃至図６ｄを参照すると、標準ＣＰを有するサブフレームにおいて、ＤＭＲＳを送信することに使用される任意の２つの隣接したＯＦＤＭシンボル間でデータを送信することに使用されるＯＦＤＭシンボルの数量は、３である。
【００５５】
図６ａは、本発明の一実施形態による標準ＣＰを有するサブフレームの概略構造図４である。図６ａを参照すると、標準ＣＰを有するサブフレーム内のＤＭＲＳを送信することに使用されるＯＦＤＭシンボルは、２番目のＯＦＤＭシンボル、６番目のＯＦＤＭシンボル、及び１０番目のＯＦＤＭシンボルである。
【００５６】
図６ｂは、本発明の一実施形態による標準ＣＰを有するサブフレームの概略構造図５である。図６ｂを参照すると、標準ＣＰを有するサブフレーム内のＤＭＲＳを送信することに使用されるＯＦＤＭシンボルは、３番目のＯＦＤＭシンボル、７番目のＯＦＤＭシンボル、及び１１番目のＯＦＤＭシンボルである。
【００５７】
図６ｃは、本発明の一実施形態による標準ＣＰを有するサブフレームの概略構造図６である。図６ｃを参照すると、標準ＣＰを有するサブフレーム内のＤＭＲＳを送信することに使用されるＯＦＤＭシンボルは、４番目のＯＦＤＭシンボル、８番目のＯＦＤＭシンボル、及び１２番目のＯＦＤＭシンボルである。
【００５８】
図６ｄは、本発明の一実施形態による標準ＣＰを有するサブフレームの概略構造図７である。図６ｄを参照すると、標準ＣＰを有するサブフレーム内のＤＭＲＳを送信することに使用されるＯＦＤＭシンボルは、５番目のＯＦＤＭシンボル、９番目のＯＦＤＭシンボル、及び１３番目のＯＦＤＭシンボルである。
【００５９】
図７ａ及び図７ｂは、本発明の一実施形態による標準ＣＰを有するサブフレームの概略構造図である。図７ａ及び図７ｂを参照すると、標準ＣＰを有するサブフレームにおいて、ＤＭＲＳを送信することに使用される任意の２つの隣接したＯＦＤＭシンボル間でデータを送信することに使用されるＯＦＤＭシンボルの数量は、４である。
【００６０】
図７ａは、本発明の一実施形態による標準ＣＰを有するサブフレームの概略構造図８である。図７ａを参照すると、標準ＣＰを有するサブフレーム内のＤＭＲＳを送信することに使用されるＯＦＤＭシンボルは、２番目のＯＦＤＭシンボル、７番目のＯＦＤＭシンボル、及び１２番目のＯＦＤＭシンボルである。
【００６１】
図７ｂは、本発明の一実施形態による標準ＣＰを有するサブフレームの概略構造図９である。図７ｂを参照すると、標準ＣＰを有するサブフレーム内のＤＭＲＳを送信することに使用されるＯＦＤＭシンボルは、３番目のＯＦＤＭシンボル、８番目のＯＦＤＭシンボル、及び１３番目のＯＦＤＭシンボルである。
【００６２】
拡張ＣＰを有するサブフレームについて：
【００６３】
拡張ＣＰを有するサブフレーム内のＤＭＲＳを送信することに使用される任意の２つの隣接したＯＦＤＭシンボル間でデータを送信することに使用されるＯＦＤＭシンボルの数量は、２又は３である。
【００６４】
図８ａ及び図８ｂは、本発明の一実施形態による拡張ＣＰを有するサブフレームの概略構造図である。図８ａ及び図８ｂを参照すると、拡張ＣＰを有するサブフレームにおいて、ＤＭＲＳを送信することに使用される任意の２つの隣接したＯＦＤＭシンボル間でデータを送信することに使用されるＯＦＤＭシンボルの数量は、２である。
【００６５】
図８ａは、本発明の一実施形態による拡張ＣＰを有するサブフレームの概略構造図２である。図８ａを参照すると、拡張ＣＰを有するサブフレーム内のＤＭＲＳを送信することに使用されるＯＦＤＭシンボルは、２番目のＯＦＤＭシンボル、５番目のＯＦＤＭシンボル、及び８番目のＯＦＤＭシンボルである。
【００６６】
図８ｂは、本発明の一実施形態による拡張ＣＰを有するサブフレームの概略構造図３である。図８ｂを参照すると、拡張ＣＰを有するサブフレーム内のＤＭＲＳを送信することに使用されるＯＦＤＭシンボルは、４番目のＯＦＤＭシンボル、７番目のＯＦＤＭシンボル、及び１０番目のＯＦＤＭシンボルである。
【００６７】
図５に示されたサブフレームにおいて、ＤＭＲＳを送信することに使用される任意の２つの隣接したＯＦＤＭシンボル間で同じ数量のＯＦＤＭシンボルがデータを送信することに使用され、上記数量は同様に２であることに留意すべきである。詳細は再度ここで説明されない。
【００６８】
図９ａ及び図９ｂは、本発明の一実施形態による拡張ＣＰを有するサブフレームの概略構造図である。図９ａ及び図９ｂを参照すると、拡張ＣＰを有するサブフレームにおいて、ＤＭＲＳを送信することに使用される任意の２つの隣接したＯＦＤＭシンボル間でデータを送信することに使用されるＯＦＤＭシンボルの数量は、３である。
【００６９】
図９ａは、本発明の一実施形態による拡張ＣＰを有するサブフレームの概略構造図４である。図９ａを参照すると、拡張ＣＰを有するサブフレーム内のＤＭＲＳを送信することに使用されるＯＦＤＭシンボルは、２番目のＯＦＤＭシンボル、６番目のＯＦＤＭシンボル、及び１０番目のＯＦＤＭシンボルである。
【００７０】
図９ｂは、本発明の一実施形態による拡張ＣＰを有するサブフレームの概略構造図５である。図９ｂを参照すると、拡張ＣＰを有するサブフレーム内のＤＭＲＳを送信することに使用されるＯＦＤＭシンボルは、３番目のＯＦＤＭシンボル、７番目のＯＦＤＭシンボル、及び１１番目のＯＦＤＭシンボルである。
【００７１】
この場合、同じ数量のＯＦＤＭシンボルが、サブフレーム内のＤＭＲＳを送信することに使用される任意の２つの隣接したＯＦＤＭシンボル間で、データを送信することに使用され、これにより、ＤＭＲＳを送信することに使用される任意の２つの隣接したＯＦＤＭシンボルは、サブフレーム内で均等に分散される。受信側が、均等に分散された３つのＤＭＲＳに従ってより正確にサブフレーム内のデータを復調することができる。
【００７２】
図１０は、本発明の一実施形態による端末の概略構造図１である。図１０を参照すると、端末は、
通信に使用されるサブフレームのフレーム構造を決定するように構成された決定モジュール１００１と、
サブフレームを使用することにより別の端末との通信を実現するように構成された通信モジュール１００２と、
を含んでもよく、サブフレーム内の復調参照信号ＤＭＲＳを送信することに使用される直交周波数分割多重ＯＦＤＭシンボルの最小数量が３であり、ＤＭＲＳを送信することに使用されるＯＦＤＭシンボルはサブフレーム内で間隔を置いて分散される。
【００７３】
図１１は、本発明の一実施形態による端末の概略構造図２である。図１０に示された実施形態に基づき、図１１を参照すると、端末が送信側であり、別の端末が受信側であるとき、通信モジュール１００２は、
データを搬送することに使用されるサブフレームを取得するように構成された第１の取得ユニット１００２１と、
サブフレームを使用することによりデータ及びＤＭＲＳを受信側に送信するように構成され、これにより、受信側はサブフレーム内のＤＭＲＳを使用することによりサブフレームを復調し、かつサブフレーム内で搬送されたデータを取得する、送信ユニット１００２２と、
を含む。
【００７４】
図１２は、本発明の一実施形態による端末の概略構造図３である。図１０に示された実施形態に基づき、図１２を参照すると、端末が受信側であり、別の端末が送信側であるとき、通信モジュール１００２は、
送信側により送信され、かつデータを搬送するサブフレーム、を受信するように構成された受信ユニット１００２３と、
サブフレーム内で搬送されたデータを取得するために、サブフレーム内のＤＭＲＳを使用することによりサブフレームを復調するように構成された第２の取得ユニット１００２４と、
を含む。
【００７５】
前述の実施形態において、サブフレーム内のＤＭＲＳを送信することに使用されるＯＦＤＭシンボルの最小数量が３であり、ＤＭＲＳを送信することに使用されるＯＦＤＭシンボルがサブフレーム内で間隔を置いて分散されることは、具体的に、
サブフレーム内のＤＭＲＳを送信することに使用される２つの隣接したＯＦＤＭシンボル間でデータを送信することに使用されるＯＦＤＭシンボルの最大数量が４であり、
サブフレーム内の最初のＤＭＲＳを送信することに使用されるＯＦＤＭシンボルの位置の前、ＯＦＤＭシンボルの最大数量が４であり、ＯＦＤＭシンボルの最小数量が１であり、
サブフレーム内の最後のＤＭＲＳを送信することに使用されるＯＦＤＭシンボルの位置の後、ＯＦＤＭシンボルの最大数量が４であり、ＯＦＤＭシンボルの最小数量が１である。
【００７６】
サブフレーム内のＤＭＲＳを送信することに使用されるＯＦＤＭシンボルの位置は、以下の場合を含んでもよい。
【００７７】
１つの実現可能な場合において、同じ数量のＯＦＤＭシンボルが、サブフレーム内のＤＭＲＳを送信することに使用される任意の２つの隣接したＯＦＤＭシンボル間で、データを送信することに使用される。
【００７８】
具体的に、サブフレームは１４個のＯＦＤＭシンボルを含み、サブフレーム内のＤＭＲＳを送信することに使用される任意の２つの隣接したＯＦＤＭシンボル間でデータを送信することに使用されるＯＦＤＭシンボルの数量は、３又は４であり、あるいは、
サブフレームは１２個のＯＦＤＭシンボルを含み、サブフレーム内のＤＭＲＳを送信することに使用される任意の２つの隣接したＯＦＤＭシンボル間でデータを送信することに使用されるＯＦＤＭシンボルの数量は、２又は３である。
【００７９】
別の実現可能な場合において、サブフレームは１４個のＯＦＤＭシンボルを含み、サブフレーム内のＤＭＲＳを送信することに使用されるＯＦＤＭシンボルは４番目のＯＦＤＭシンボル、７番目のＯＦＤＭシンボル、及び１１番目のＯＦＤＭシンボルであり、あるいは、サブフレーム内のＤＭＲＳを送信することに使用されるＯＦＤＭシンボルは４番目のＯＦＤＭシンボル、８番目のＯＦＤＭシンボル、及び１１番目のＯＦＤＭシンボルである。
【００８０】
この実施形態における端末は、前述の方法実施形態の技術的解決策を実行するように構成されてもよい。実現原理及びその技術的効果は同様であり、再度ここで説明されない。
【００８１】
図１３は、本発明の一実施形態による端末の概略構造図４である。図１３を参照すると、端末は、プロセッサ１３０１、例えばＣＰＵと、メモリ１３０２と、少なくとも１つの通信バス１３０３と、送信器１３０４と、受信器１３０５とを含み得る。通信バス１３０３は、コンポーネント間の接続及び通信を実現するように構成される。メモリ１３０２は、高速ＲＡＭメモリを含んでもよく、あるいは不揮発メモリＮＶＭ、例えば少なくとも１つのディスクストレージを含んでもよい。メモリ１３０２は、様々なプログラムを記憶してもよい。プロセッサ１３０１は、メモリ１３０２内の様々なプログラムを呼び出して、様々な処理機能を完了させ、この実施形態における方法のステップを実現してもよい。
【００８２】
プロセッサ１３０１は、通信に使用されるサブフレームのフレーム構造を決定するように構成される。
【００８３】
送信器１３０４及び受信器１３０５は、サブフレームを使用することにより別の端末との通信を実現するように構成される。
【００８４】
サブフレーム内の復調参照信号ＤＭＲＳを送信することに使用される直交周波数分割多重ＯＦＤＭシンボルの最小数量が３であり、ＤＭＲＳを送信することに使用されるＯＦＤＭシンボルはサブフレーム内で間隔を置いて分散される。
【００８５】
端末が送信側であり、別の端末が受信側であるとき、
プロセッサ１３０１は、データを搬送することに使用されるサブフレームを取得するように具体的に構成され、
送信器１３０４は、サブフレームを使用することによりデータ及びＤＭＲＳを受信側に送信するように具体的に構成され、これにより、受信側は、サブフレーム内のＤＭＲＳを使用することによりサブフレームを復調し、サブフレーム内で搬送されたデータを取得する。
【００８６】
端末が受信側であり、別の端末が送信側であるとき、
受信器１３０５は、送信側により送信され、かつデータを搬送するサブフレーム、を受信するように具体的に構成され、
プロセッサ１３０１は、サブフレーム内で搬送されたデータを取得するために、サブフレーム内のＤＭＲＳを使用することによりサブフレームを復調するように具体的に構成される。
【００８７】
前述の実施形態において、サブフレーム内のＤＭＲＳを送信することに使用されるＯＦＤＭシンボルの最小数量が３であり、ＤＭＲＳを送信することに使用されるＯＦＤＭシンボルがサブフレーム内で間隔を置いて分散されることは、具体的に、
サブフレーム内のＤＭＲＳを送信することに使用される２つの隣接したＯＦＤＭシンボル間でデータを送信することに使用されるＯＦＤＭシンボルの最大数量が４であり、
サブフレーム内の最初のＤＭＲＳを送信することに使用されるＯＦＤＭシンボルの位置の前、ＯＦＤＭシンボルの最大数量が４であり、ＯＦＤＭシンボルの最小数量が１であり、
サブフレーム内の最後のＤＭＲＳを送信することに使用されるＯＦＤＭシンボルの位置の後、ＯＦＤＭシンボルの最大数量が４であり、ＯＦＤＭシンボルの最小数量が１である。
【００８８】
サブフレーム内のＤＭＲＳを送信することに使用されるＯＦＤＭシンボルの位置は、以下の場合を含んでもよい。
【００８９】
１つの実現可能な場合において、同じ数量のＯＦＤＭシンボルが、サブフレーム内のＤＭＲＳを送信することに使用される任意の２つの隣接したＯＦＤＭシンボル間で、データを送信することに使用される。
【００９０】
具体的に、サブフレームは１４個のＯＦＤＭシンボルを含み、サブフレーム内のＤＭＲＳを送信することに使用される任意の２つの隣接したＯＦＤＭシンボル間でデータを送信することに使用されるＯＦＤＭシンボルの数量は、３又は４であり、あるいは、
サブフレームは１２個のＯＦＤＭシンボルを含み、サブフレーム内のＤＭＲＳを送信することに使用される任意の２つの隣接したＯＦＤＭシンボル間でデータを送信することに使用されるＯＦＤＭシンボルの数量は、２又は３である。
【００９１】
別の実現可能な場合において、サブフレームは１４個のＯＦＤＭシンボルを含み、サブフレーム内のＤＭＲＳを送信することに使用されるＯＦＤＭシンボルは４番目のＯＦＤＭシンボル、７番目のＯＦＤＭシンボル、及び１１番目のＯＦＤＭシンボルであり、あるいは、サブフレーム内のＤＭＲＳを送信することに使用されるＯＦＤＭシンボルは４番目のＯＦＤＭシンボル、８番目のＯＦＤＭシンボル、及び１１番目のＯＦＤＭシンボルである。
【００９２】
この実施形態における端末は、前述の方法実施形態の技術的解決策を実行するように構成されてもよい。実現原理及びその技術的効果は同様であり、さらにここで説明されない。
【００９３】
当業者は、方法実施形態のステップのうちすべて又はいくつかが、関連ハードウェアに命令するプログラムにより実現されてもよいことを理解し得る。プログラムは、コンピュータ読取可能記憶媒体に記憶されてもよい。プログラムが実行するとき、方法実施形態のステップが実行される。前述の記憶媒体は、ＲＯＭ、ＲＡＭ、磁気ディスク、又は光ディスクなどの、プログラムコードを記憶することができる任意の媒体を含む。
【００９４】
最後、前述の実施形態は、本発明を限定することでなく本発明の技術的解決策を説明することを単に意図されることに留意すべきである。本発明は、前述の実施形態を参照して詳細に説明されたが、当業者は、当業者が依然として、本発明の実施形態の技術的解決策の範囲から逸脱することなく、前述の実施形態中に説明された技術的解決策に対して修正を行い、あるいは前述の実施形態のうちいくつか又はすべての技術的特徴に対して均等の置換を行い得ることを理解すべきである。
【図１】
0006619867.tif 000002
【図２】
0006619867.tif 000003
【図３】
0006619867.tif 000004
【図４ａ】
0006619867.tif 000005
【図４ｂ】
0006619867.tif 000006
【図５】
0006619867.tif 000007
【図６ａ】
0006619867.tif 000008
【図６ｂ】
0006619867.tif 000009
【図６ｃ】
0006619867.tif 000010
【図６ｄ】
0006619867.tif 000011
【図７ａ】
0006619867.tif 000012
【図７ｂ】
0006619867.tif 000013
【図８ａ】
0006619867.tif 000014
【図８ｂ】
0006619867.tif 000015
【図９ａ】
0006619867.tif 000016
【図９ｂ】
0006619867.tif 000017
【図１０】
0006619867.tif 000018
【図１１】
0006619867.tif 000019
【図１２】
0006619867.tif 000020
【図１３】
0006619867.tif 000021